(57)【要約】【課題】  光ディスクに記録されているデータを再生する際の、無駄な消費電流を削減するための光ディスク再生方法と光ディスク再生装置とを提供する。【解決法】  光ディスクを回転させ、光ディスクに記録されているデータを読み出して再生させる光ディスク再生方法であって、光ディスクに記録されているデータの出力速度に応じて1倍速での回転速度未満の回転速度で光ディスクを回転させながら光ディスクからデータを読み出す。また、光ディスクを回転させ、光ディスクに記録されているデータを読み出して再生する光ディスク再生装置であって、光ディスクに記録されているデータの出力速度に応じて1倍速での回転速度未満の回転速度で光ディスクを回転させる回転制御手段と、回転速度で回転する光ディスクからデータを読み出して再生する再生手段とを備える。【選択図】  図４
2006318592.tif 000002
【特許請求の範囲】
【請求項１】
光ディスクを回転させ、前記光ディスクに記録されているデータを読み出して再生させる光ディスク再生方法であって、
前記光ディスクに記録されているデータの出力速度に応じて１倍速での回転速度未満の回転速度で前記光ディスクを回転させながら前記光ディスクからデータを読み出す
光ディスク再生方法。
【請求項２】
更に、１倍速以下の読み出し速度で前記光ディスクからデータを読み出しながら再生させる第１再生モードにおける消費電流の値である第１消費電流値と、１倍速より速い所定の倍速で前記光ディスクから読み出しながら再生させる第２再生モードにおける消費電流の値である第２消費電流値とを比較し、
前記第１消費電流値の方が前記第２消費電流値よりも小さい場合、前記出力速度に応じて１倍速での回転速度未満の回転速度で前記光ディスクを回転させながら前記光ディスクからデータを読み出す
請求項１記載の光ディスク再生方法。
【請求項３】
前記第１消費電流値の方が前記第２消費電流値よりも小さい場合、更に、
前記光ディスクに記録されているデータの出力速度が１倍速の読み出し速度未満の速度である際、前記出力速度に応じて１倍速での回転速度未満の回転速度で前記光ディスクを回転させながら前記光ディスクからデータを読み出す
請求項２記載の光ディスク再生方法。
【請求項４】
更に、（１）１倍速での回転速度から、前記所定の倍速での回転速度である高倍速回転速度へ加速させるとともに前記光ディスクからデータを読み出して再生させる際の中の消費電流の値、
（２）前記高倍速回転速度で回転する前記光ディスクからデータを読み出して前記第１記憶手段に記憶領域の空き容量がなくなるまで記憶させるとともに前記第１記憶手段からデータを読み出して再生させる際の消費電流の値、および、
（３）前記第１記憶手段の記憶領域の空き容量がなくなり、前記光ディスクの回転の駆動を停止させ、前記第１記憶手段の記憶領域の空き容量が所定の値になるまで前記第１記憶手段からデータを読み出して再生させる際の消費電流の値を測定し、
測定された３つの消費電流の値の平均値を計算することで前記第２消費電流を算出する
請求項２記載の光ディスク再生方法。
【請求項５】
更に、前記出力速度に応じて１倍速での回転速度未満の回転速度で前記光ディスクを回転させながら前記光ディスクからデータを読み出す際の消費電流の値と、前記出力速度または前記回転速度とを対応付けて実績情報として第２記憶手段に記憶させ、
前記実績情報が前記第２記憶手段に記憶された後、光ディスクからデータを読み出した場合、前記光ディスクから読み出されたデータの出力速度または前記出力速度に応じた回転速度に対応する消費電流の値を、前記第２記憶手段に記憶されている前記実績情報から抽出し、
前記第１消費電流値に換えて、前記実績情報から抽出された前記消費電流の値と、前記第２消費電流とを比較し、
前記実績情報から抽出された前記消費電流の値の方が、前記第２消費電流値よりも小さい場合、前記出力速度に応じて１倍速での回転速度未満の回転速度で前記光ディスクを回転させながら前記光ディスクからデータを読み出す
請求項２記載の光ディスク再生方法。
【請求項６】
更に、前記光ディスクから読み出されたデータを第１記憶手段に記憶させ、再生時には前記第１記憶手段からデータを読み出し、
前記第１記憶手段の記憶領域の空き領域が無くなった後に、
前記光ディスクに記録されているデータの出力速度に応じて１倍速での回転速度未満の回転速度で前記光ディスクを回転させながら前記光ディスクからデータを読み出す
請求項１記載の光ディスク再生方法。
【請求項７】
前記光ディスクに記録されているデータは圧縮されたオーディオデータであり、前記圧縮されたオーディオデータの出力速度は１倍速の読み出し速度未満の速度である
請求項１〜６のいずれか一項に記載の光ディスク再生方法。
【請求項８】
光ディスクを回転させ、前記光ディスクに記録されているデータを読み出して再生する光ディスク再生装置であって、
前記光ディスクに記録されているデータの出力速度に応じて１倍速での回転速度未満の回転速度で前記光ディスクを回転させる回転制御手段と、
前記回転速度で回転する前記光ディスクからデータを読み出して再生する再生手段と
を備える光ディスク再生装置。
【請求項９】
更に、１倍速以下の読み出し速度で前記光ディスクからデータを読み出しながら再生する第１再生モードにおける消費電流の値である第１消費電流値と、１倍速より速い所定の倍速で前記光ディスクから読み出しながら再生する第２再生モードにおける消費電流の値である第２消費電流値とを測定する電流測定手段と、
前記第１消費電流値と前記第２消費電流値とを比較する比較手段と、
前記比較手段による比較の結果、前記第１消費電流値の方が前記第２消費電流値よりも小さい場合、前記第１再生モードを実行すると判断する判断手段とを備え、
前記回転制御手段は、前記判断手段により、第１再生モードを実行すると判断された場合、前記出力速度に応じて１倍速での回転速度未満の回転速度で前記光ディスクを回転させる
請求項８記載の光ディスク再生装置。
【請求項１０】
前記回転制御手段は、前記判断手段により、第１再生モードを実行すると判断され、更に、前記光ディスクに記録されているデータの出力速度が１倍速の読み出し速度未満の速度であると判断された場合、前記出力速度に応じて１倍速での回転速度未満の回転速度で前記光ディスクを回転させる
請求項９記載の光ディスク再生装置。
【請求項１１】
前記電流計測手段は、（１）１倍速でのデータの読み出しに対応する回転速度である一倍速回転速度から、前記所定の倍速でのデータの読み出しに対応する回転速度である高倍速回転速度への加速中の消費電流の値、
（２）前記高倍速回転速度で回転する前記光ディスクからデータを読み出して前記第１記憶手段に記憶領域の空き容量がなくなるまで記憶させるとともに、前記第１記憶手段からデータを読み出して再生する際の消費電流の値、および、
（３）前記第１記憶手段の記憶領域の空き容量がなくなり、前記光ディスクの回転の駆動を停止させ、前記第１記憶手段の記憶領域の空き容量が所定の値になるまで、前記第１記憶手段からデータを読み出して再生する際の消費電流の値の、３つの消費電流の値を計測し、
前記比較部は、前記第２消費電流値である前記３つの消費電流の平均値と、前記第１消費電流値とを比較する
請求項９記載の光ディスク再生装置。
【請求項１２】
更に、前記出力速度に応じて１倍速での回転速度未満の回転速度で前記光ディスクを回転させながら前記光ディスクからデータを読み出して再生する際の消費電流の値と、前記出力速度または前記回転速度とを対応付けて実績情報として記憶する第２記憶手段と、
前記実績情報が前記第２記憶手段に記憶された後、光ディスクからデータを読み出した際に、前記光ディスクから読み出されたデータの出力速度または前記出力速度に応じた回転速度に対応する消費電流の値を、前記第２記憶手段に記憶されている前記実績情報から抽出する抽出手段とを備え、
前記比較手段は、前記第１消費電流値に換えて、前記実績情報から抽出された前記消費電流の値と、前記第２消費電流とを比較し、
前記判断手段は、前記実績情報から抽出された前記消費電流の値の方が、前記第２消費電流値よりも小さい場合、前記第１再生モードを実行すると判断する
請求項９記載の光ディスク再生装置。
【請求項１３】
更に、前記光ディスクから読み出されたデータを記憶する第１記憶手段と、
前記第１記憶手段の記憶領域の空き領域の容量を検出する空き容量検出手段とを備え、
前記再生手段は、前記第１記憶手段からデータ読み出して再生し、
前記回転制御手段は、前記空き容量検出手段が検出する容量が所定の値になった後に、前記出力速度に応じて１倍速での回転速度未満の回転速度で前記光ディスクを回転させる
請求項８記載の光ディスク再生装置。
【発明の詳細な説明】
【技術分野】
【０００１】
本発明はＣＤプレーヤ等の光ディスク再生装置に関する。
【背景技術】
【０００２】
近年、ＣＤ（Compact Disc）プレーヤは、通常のＣＤ−ＤＡ（Compact Disc Digital Audio）再生時に１倍速で読み出しを行い１倍速で出力する仕様以外に、読み出したデータを一旦記憶する記憶手段を持ち、１倍速以上の速度で読みだして記憶手段に書き込み１倍速で出力する仕様がある。
【０００３】
この仕様においては、記憶手段への蓄積を行う速度の方が読み出し速度よりも速いことを利用し、以下に示す、消費電流を抑制するための制御が行われる。
【０００４】
記憶手段に蓄積されたデータ量が記憶容量に近くなると読み出しを停止する。読み出しの停止後は、記憶手段に蓄積されたデータが出力される。その後、記憶手段に蓄積されたデータの残量が少なくなると、ディスクからのデータの読み出しを再開する。このようなデータの読み出し制御が行われることにより、読み出しを停止する期間の消費電流を抑制することができる。
【０００５】
また、近年、ＣＤ−ＤＡだけでなく、ＭＰ３(MPEG Audio Layer-3)等の圧縮オーディオを再生する機能を持つ仕様のＣＤプレーヤもある。圧縮オーディオを再生する場合においても、ＣＤ−ＤＡの再生時と同じく、データの読み出しおよび蓄積と、読み出しの停止とが繰り返される。
【０００６】
図９は、従来のＣＤプレーヤの記憶手段に蓄積されるデータ量の時間変化の概要を示す図である。図９に示すグラフにおいて、縦軸は、記憶手段に蓄積されるデータ量であり、横軸は、時間である。
【０００７】
期間Ａは、データのディスクからの読み出しと記憶手段への蓄積と、同時に記憶手段からの読み出しと音声出力が行われる期間である。期間Ｂは、データのディスクからの読み出しが停止され、記憶手段に蓄積されたデータが再生のために消費されている期間である。期間Ｂにおいては、データは記憶手段から出力されるのみであり、次第に蓄積データ量は減少する。蓄積データが所定の基準値に達すると、再びデータの読み出しが開始される。このように、期間Ａと期間Ｂとを1サイクルとした動作が繰り返される。
【０００８】
なお、圧縮オーディオ再生時は復号後の出力するデータ量は同じであるが、復号する前のデータのサイズは復号後のデータサイズよりも小さいため、もし記憶手段に蓄積したデータの量が同じ場合、記憶手段に蓄積されたデータの消費速度はＣＤ−ＤＡに対して遅くなる。
【０００９】
これにより、圧縮オーディオ再生時の記憶手段への蓄積速度はＣＤ−ＤＡ再生時よりも速くなる。結果として、圧縮オーディオを再生する場合、ＣＤ−ＤＡを再生する場合より、ＣＤプレーヤがデータの読み出しを停止している期間が長くなる。
【００１０】
図１０は、従来のＣＤプレーヤの読み出し制御手順を示すフローチャートである。図１０を用いて従来のＣＤプレーヤの圧縮オーディオ再生時の光ディスク読み出し制御方法について説明する。
【００１１】
ＣＤプレーヤは、ユーザの所定の操作を受け、再生を開始する（Ｓ５０）。開始後、ディスクの回転を加速し（Ｓ５１）、高倍速にてディスクからデータを読み出し、記憶手段であるメモリへの蓄積を開始する（Ｓ５２）。なお、メモリへ蓄積される際、読み出されたデータがＣＤ−ＤＡである場合はそのまま又はＡＤＰＣＭ（Adaptive Differential Pulse Code Modulation）等に符号化し、読み出されたデータがＭＰ３等圧縮オーディオである場合は一旦ＰＣＭ（Pulse Code Modulation）に復号し、そのまま又はＡＤＰＣＭ等に符号化し、メモリへ蓄積する。
【００１２】
メモリへの蓄積を開始後、メモリに蓄積されたデータを読み出しながら出力を開始する（Ｓ５３）。出力の開始後、メモリがフルであるか否かをチェックする。フルである場合（Ｓ５４でｙ）、出力は継続しながらディスクからのデータの読み出しとメモリへの蓄積を停止する（Ｓ５５）。このときディスクの回転についても強制停止する。もしくは慣性のまま放置することにより減速していく。なお、フルでない場合（Ｓ５４でｎ）は、フルになるまでメモリの蓄積容量のチェックを続ける。
【００１３】
データの読み出しおよびメモリへの蓄積を停止した後、メモリに蓄積されているデータの残量をチェックする。残量が所定の基準値より少ない場合（Ｓ５６でｙ）、再び、ディスクの回転を開始し加速する（Ｓ５１）。なお、残量が所定の基準値以上の場合（Ｓ５６でｎ）は、基準値を下回るまで残量のチェックを続ける。
【００１４】
上記動作は、ディスクの全データの再生の終了やユーザからの停止命令等により、任意の動作中に終了する。また、その他の命令があった場合はそれに従って動作する。
【００１５】
上記のような、ディスクからの間欠的なデータの読み出しを伴う再生（以下、「間欠再生」という。）に関する技術も開示されている（例えば、特許文献１参照）。
【特許文献１】特開２０００−９０４４９号公報
【発明の開示】
【発明が解決しようとする課題】
【００１６】
しかしながら、上記従来の方法では、例えば、ディスクに記録されたデータを再生する際、必ず、データの読み出しと停止とが交互に繰り返される。つまり、ディスクの回転の加速が必ず繰り返されることとなり、消費電流が大きくなる。これは、回転の加速に必要な電流は、ディスクを一定速度で回転させる場合に比べ非常に大きいためである。これにより、例えば、ＣＤプレーヤへの電力供給を電池で行っている場合、動作可能な時間が短くなるという問題がある。
【００１７】
本発明は、上記従来の問題点を解決するもので、光ディスクに記録されているデータを再生する際の、無駄な消費電流を削減するための光ディスク再生方法および光ディスク再生装置を提供することを目的とする。
【課題を解決するための手段】
【００１８】
上記目的を達成するために、本発明の光ディスク再生方法は、光ディスクを回転させ、前記光ディスクに記録されているデータを読み出して再生させる光ディスク再生方法であって、前記光ディスクに記録されているデータの出力速度に応じて1倍速での回転速度未満の回転速度で前記光ディスクを回転させながら前記光ディスクからデータを読み出す。
【００１９】
また、本発明の光ディスク再生装置は、光ディスクを回転させ、前記光ディスクに記録されているデータを読み出して再生する光ディスク再生装置であって、前記光ディスクに記録されているデータの出力速度に応じて1倍速での回転速度未満の回転速度で前記光ディスクを回転させる回転制御手段と、前記回転速度で回転する前記光ディスクからデータを読み出して再生する再生手段とを備える。
【００２０】
このように、本発明の光ディスク再生方法および光ディスク再生装置によれば、光ディスクに記録されているデータの出力速度に応じて、遅くされた回転速度で光ディスクを回転させながらデータを再生することができる。つまり、加速を繰り返すことはなく、無駄な消費電流を削減することができる。ここで、回転速度はデータの出力速度に応じた速度であるため、音が途切れることはない。
【００２１】
また、本発明の光ディスク再生方法は、更に、1倍速以下の読み出し速度で前記光ディスクからデータを読み出しながら再生させる第１再生モードにおける消費電流の値である第１消費電流値と、１倍速より速い所定の倍速で前記光ディスクから読み出しながら再生させる第２再生モードにおける消費電流の値である第２消費電流値とを比較し、前記第１消費電流値の方が前記第２消費電流値よりも小さい場合、前記出力速度に応じて1倍速での回転速度未満の回転速度で前記光ディスクを回転させながら前記光ディスクからデータを読み出すとしてもよい。
【００２２】
また、本発明の光ディスク再生装置は、更に、1倍速以下の読み出し速度で前記光ディスクからデータを読み出しながら再生する第１再生モードにおける消費電流の値である第１消費電流値と、１倍速より速い所定の倍速で前記光ディスクから読み出しながら再生する第２再生モードにおける消費電流の値である第２消費電流値とを測定する電流測定手段と、前記第１消費電流値と前記第２消費電流値とを比較する比較手段と、前記比較手段による比較の結果、前記第１消費電流値の方が前記第２消費電流値よりも小さい場合、前記第１再生モードを実行すると判断する判断手段とを備え、前記回転制御手段は、前記判断手段により、第１再生モードを実行すると判断された場合、前記出力速度に応じて1倍速での回転速度未満の回転速度で前記光ディスクを回転させるとしてもよい。
【００２３】
このように、本発明の光ディスク再生方法および光ディスク再生装置によれば、消費電流の少ない再生モードの実行を判断することができる。
【００２４】
また、本発明は、本発明の光ディスク再生方法をコンピュータに実行させるプログラムとして実現することもできる。そのプログラムは、ＣＤ−ＲＯＭ等の記録媒体や通信ネットワーク等の伝送媒体を介して流通させることもできる。
【発明の効果】
【００２５】
本発明は、光ディスクに記録されているデータを再生する際の、無駄な消費電流を削減するための光ディスク再生方法および光ディスク再生装置を提供することができる。
【００２６】
本発明の光ディスク再生方法および光ディスク再生装置によれば、圧縮オーディオ再生時に、ディスクの読み出しと停止が交互に実施し、それにより加速を繰り返すことにより消費電流が大きくなる場合、出力レートに合わせて１倍速以下の速度の一定速度回転で読み出すことにより無駄な消費電流を削減することができる。これにより、例えば電池を用いて電源供給する場合には動作時間を長く確保できる。
【発明を実施するための最良の形態】
【００２７】
以下、本発明を実施するための最良の形態について、図面を参照しながら説明する。
【００２８】
まず、本発明の実施の形態のＣＤプレーヤ３０の機能的な構成を図１を用いて説明する。
【００２９】
図１は、本発明の実施の形態のＣＤプレーヤ３０の機能的な構成を示す機能ブロック図である。ＣＤプレーヤ３０は、本発明の光ディスク再生装置の一例であり、図１に示すように、ディスク回転部１、ピックアップ２、フォーカスアクチュエータ３、トラッキングアクチュエータ４、増幅部５、演算部６、ドライブ信号作成部７、制御部８、データ記憶部９、および光ディスク２０を備える。また、制御部８は、判断部８１と電流測定部８２とを有する。
【００３０】
なお、ＣＤプレーヤが本来備える、ユーザからの命令を受け付ける入力部や、再生された音声を出力する出力部なども備えている。しかしながら、本発明の特徴の明確化のために、それらの図示および説明は省略する。
【００３１】
光ディスク２０は、その中心部分がディスク回転部１に固定される。再生時、ピックアップ２、増幅部５、演算部６、ドライブ信号作成部７にてフォーカスサーボが行われる。また、ピックアップ２、増幅部５、演算部６、ドライブ信号作成部７よりトラッキングサーボが行われる。さらに、ディスク回転部１、ピックアップ２、増幅部５、演算部６、ドライブ信号作成部７により回転サーボが実施される。回転サーボにおいて、ピックアップ２から読み出された信号を加算増幅して増幅部５が作成するＲＦ信号から演算部６は現在の回転速度を読み出す。その回転数が想定する回転数となるようドライブ信号作成部７にドライブ信号指示を実施する。
【００３２】
データ記憶部９は、光ディスク２０から読み出されたデータを一時的に記憶するための記憶装置である。データ記憶部９は、例えば、ＳＤＲＡＭ（Synchronous Dynamic Random Access Memory）により実現される。
【００３３】
上記の各構成部の機能および動作は、従来のＣＤプレーヤと変わりない。しかしながら、ＣＤプレーヤ３０は、制御部８が有する、判断部８１および電流測定部８２の動作により、無駄な消費電流を削減することを可能とする。なお、データ記憶部９は、本発明の光ディスク再生方法および光ディスク再生装置における第１記憶手段の一例である。
【００３４】
制御部８は、ＣＤプレーヤ３０の各構成部の動作を制御する処理部であり、判断部８１と、電流測定部８２とを備える。電流測定部８２は、ＣＤプレーヤ３０が消費する電流を測定する処理部である。なお、図示していないが、電流測定部８２は、消費する電流を測定するために、ＣＤプレーヤ３０の電源部などと接続されている。また、制御部８は、ＣＤプレーヤ３０の各構成部の動作を制御する機能を有しており、各構成部は、制御部８の制御のもとで動作する。
【００３５】
判断部８１は、電流測定部８２が測定した結果に基づき、再生モードを判断する処理部である。再生モードについては、図２を用いて後述する。なお、判断部８１は、本発明の光ディスク再生装置における比較手段および判断手段が有する、再生モードを判断するための機能を実現する。
【００３６】
次に、本発明の実施の形態のＣＤプレーヤ３０の動作を、図２〜図６を用いて説明する。
【００３７】
図２は、本発明の実施の形態のＣＤプレーヤ３０の、データの読み出し制御に関する手順を示すフローチャートである。
【００３８】
ユーザの所定の操作により、光ディスク２０に記録されたデータの再生の命令を受け付けると、ＣＤプレーヤ３０は、再生モードの検討を開始する（Ｓ１０）。
【００３９】
ここで、再生モードとは、データを再生する方法および手順のことである。ＣＤプレーヤ３０は、２つの再生モードのうちの１つを選択し、実行する。２つのモードとは、間欠再生モードおよび連続再生モードである。間欠再生モードは、上述の通り、光ディスクからのデータの読み出しを間欠的に行いながら、データの再生を行うことである。連続再生は、1倍速またはそれ以下での回転速度で光ディスク２０を回転させ、連続的にデータの読み出しを行いながら、データの再生を行うことである。なお、「ｎ倍速での回転速度」（ｎは１以上の整数）という場合、ｎ倍速の読み出し速度に対応する回転速度のことを指す。
【００４０】
なお、連続再生モードは本発明の光ディスク再生方法および光ディスク再生装置における第１再生モードの一例であり、間欠再生モードは本発明の光ディスク再生方法および光ディスク再生装置における第２再生モードの一例である。
【００４１】
上述の再生モードの選択は、電流測定部８２および判断部８１により実行される。以下、電流測定部８２および判断部８１の機能および動作を中心に説明を行う。
【００４２】
再生モードの検討の開始後、光ディスク２０が静止した状態から、光ディスク２０の回転を加速する（Ｓ１１）。通常の回転速度である１倍速での回転速度になるまで加速されると、1倍速で回転させながら光ディスクからデータの読み出しと出力を開始する（Ｓ１２）。電流測定部８２は、１倍速再生状態でのＣＤプレーヤ３０全体の消費電流を測定し（Ｓ１３）、測定結果を判断部８１に通知する。なお、上記の１倍速再生状態は、1倍速で連続的にデータの読み出しを行いながらデータの再生を行っている状態である。つまり、連続再生状態である。
【００４３】
上記通知後、ＣＤプレーヤ３０は、光ディスク２０の回転の加速を再び開始する（Ｓ１４）。電流測定部８２は、加速中のＣＤプレーヤ３０全体の消費電流を測定し（Ｓ１５）、測定結果を判断部８１に通知する。
【００４４】
上記加速後、光ディスク２０の回転速度が所定の高倍速になった状態でディスクからデータを読み出される。読み出されたデータはデータ記憶部９に書き込まれる（Ｓ１６）。つまり、データの蓄積が開始される。
【００４５】
ここで、データがデータ記憶部９に蓄積される際、以下に述べる処理が行われる。読み出されたデータがＣＤ−ＤＡの場合、そのまま又はＡＤＰＣＭ等に符号化され、データ記憶部９に蓄積される。読み出されたデータが、ＭＰ３等圧縮オーディオの場合、一旦ＰＣＭに復号され、そのまま又はＡＤＰＣＭ等に符号化されてデータ記憶部９に蓄積される。蓄積と同時に、データ再生のためにデータ記憶部９に蓄積されたデータが出力される。
【００４６】
電流測定部８２は、上記状態、つまり、高倍速での再生状態でのＣＤプレーヤ３０全体の消費電流を測定し（Ｓ１７）、測定結果を判断部８１に通知する。
【００４７】
上記通知後、データ記憶部９がフルかどうかをチェックする。つまり、データ記憶部９にさらに光ディスク２０から読み出されたデータを蓄積できるか否かをチェックする。フルでない場合（Ｓ１８でｎ）、繰り返しチェックが行われる。データ記憶部９がフルである場合（Ｓ１８でｙ）、ディスクからの読み出しとデータ記憶部９への蓄積を停止する（Ｓ１９）。このとき光ディスク２０の回転も強制停止される。もしくは、慣性で回転したまま放置され、回転速度は減速していく。なお、データ記憶部９からのデータの出力は継続される。なお、モータの軸が慣性により回転している状態は「軸損」とも呼ばれ、「間欠再生」は「軸損再生」とも呼ばれる。
【００４８】
電流測定部８２は、光ディスク２０からの読み出し停止状態でのＣＤプレーヤ３０全体の消費電流を測定し（Ｓ２０）、測定結果を判断部８１に通知する。ここで、ＣＤプレーヤ３０が、回転速度の高倍速への加速を開始（Ｓ１４）してから、光ディスク２０からの読み出しを停止（Ｓ１９）したまま、次にデータの読み出しが再開されるまで、データ記憶部９からのデータの出力を継続する動作は、間欠再生における１つのサイクルである。
【００４９】
ここまでの動作により、ＣＤプレーヤ３０の各状態の消費電量が測定され、判断部８１に保持されている。ＣＤプレーヤ３０の各状態とは、１倍速での再生中（Ｓ１２）、高倍速への加速中（Ｓ１４）、高倍速での再生中（Ｓ１６）、ディスクからの読み出し停止中（Ｓ１９）の各状態である。
【００５０】
図３は、ＣＤプレーヤ３０の各状態における消費電流の測定結果の例を示す図である。図３に示すグラフにおいて、縦軸は消費電流であり横軸は時間である。
【００５１】
また、図３に示すグラフにおいて、Ｔ４は１倍速での再生中の期間であり、Ｔ１は高倍速への加速中の期間であり、Ｔ２は高倍速での再生中の期間であり、Ｔ３はディスクからの読み出し停止中の期間である。それぞれの期間の電流値は、Ｉ４４、Ｉ４１、Ｉ４２、Ｉ４３である。図３のグラフに示すように、高倍速への加速中がもっとも消費電流が多いことがわかる。
【００５２】
判断部８１は、Ｔ１、Ｔ２、Ｔ３の３つの期間の平均消費電流を以下に示す（式１）にて算出する（Ｓ２１）。ここで、上記３つの期間は、間欠再生の１サイクルが行われた期間である。つまり、判断部８１は、ＣＤプレーヤ３０の間欠再生モードの平均消費電流としてＩａを算出する。
【００５３】
Ｉａ＝（Ｉ４１×Ｔ１＋Ｉ４２×Ｔ２＋Ｉ４３×Ｔ３）／（Ｔ１＋Ｔ２＋Ｔ３）（式１）
【００５４】
また、Ｔ４の期間は、1倍速で連続的にデータの読み出しを行いながらデータの再生を行っている状態である。つまり、Ｉ４４は連続再生モードにおける消費電流である。
【００５５】
判断部８１は、間欠再生モードの平均消費電流Ｉａと連続再生モードの消費電流Ｉ４４とを比較し、連続再生モード、間欠再生モードのどちらの再生モードを実行すべきかの判断を行う。
【００５６】
具体的には、値の小さい方の再生モードを実行すべきと判断する。これにより、例えば、ＣＤプレーヤ３０が電池の電力により駆動されている場合、電池寿命が長くなる。
【００５７】
Ｉ４４の方がＩａよりも小さい場合、つまり、連続再生時の消費電流の方が、間欠再生時の平均消費電流より小さい場合（Ｓ２２でｙ）、ＣＤプレーヤ３０は、連続再生モード（Ｓ３０）へ移行する。また、Ｉａの方がＩ４４よりも小さい場合、つまり、間欠再生時の平均消費電流の方が、連続再生時の消費電流より小さい場合（Ｓ２２でｎ）、ＣＤプレーヤ３０は、間欠再生モード（Ｓ３０）へ移行する。
【００５８】
なお、図２に示す動作のフローに示す処理は、光ディスク２０の全データの再生の終了やユーザからの停止命令等により、任意の動作中に終了する。また、その他の命令があった場合はそれに従って動作する。
【００５９】
図４は、連続再生モードにおけるＣＤプレーヤ３０の動作を示すフローチャートである。図６を用いて、ＣＤプレーヤ３０が連続再生を実行する際の動作を説明する。なお、間欠再生を実行する際の動作については、図５を用いて後述する。
【００６０】
ＣＤプレーヤ３０は、判断部８１の判断により、連続再生を開始する（Ｓ３０）。開始後、判断部８１が、再生中のデータがＭＰ３等の圧縮オーディオであるか否かを判断する。圧縮オーディオでない場合（Ｓ３１でｎ）、つまり、ＣＤ−ＤＡである場合、ＣＤプレーヤ３０は、一倍速での回転速度で光ディスク２０を回転させながらデータを読み出し再生する。
【００６１】
圧縮オーディオである場合（Ｓ３１でｙ）、判断部８１は、圧縮オーディオのビットレートの検出を行う（Ｓ３２）。さらに検出されたビットレートに基づき、回転速度を決定する（Ｓ３３）。具体的には、検出された圧縮オーディオのビットレートと、ＣＤ−ＤＡのビットレートとの比を求め、その比に従って、回転速度を決定する。
【００６２】
例えば、圧縮オーディオのビットレートが１２８Ｋｂｐｓであった場合を想定する。ＣＤ−ＤＡのビットレートは１．４１１Ｍｂｐｓであり、この値が１倍速の出力速度である。従って、圧縮オーディオの出力速度と１倍速の出力速度の比は、１：１１．０２３４３７５である。
【００６３】
従って、理想的には、回転速度を１倍速の１／１１．０２３４３７５となるように設定すべきである。この場合には、光ディスク２０に記録されたデータを途切れることなく再生可能となり、かつ、データ蓄積部９においてデータを蓄積する速度とデータを消費する速度が同一になる。
【００６４】
ただし、上記の回転速度を、理想の回転速度よりも遅い速度、例えば１倍速の１／１２と設定してもよい。この場合には、データ蓄積部９に蓄積されたデータの残量が所定の値まで減少した際に、１倍速の１／１１に回転速度を上げるように制御する。
【００６５】
また、回転速度を１倍速の１／１１と設定してもよい。この場合には、データ蓄積部９においてデータを蓄積する速度がデータを消費する速度よりもわずかに速いため、次第にデータの蓄積量が増えることにより、オーバーフローが発生してしまう。従ってオーバーフローが発生した際には、回転速度を１倍速の１／１１に維持しつつ、ディスクからのデータの読み出しと蓄積を一旦停止する（ＰＡＵＳＥ状態にする）、又は、回転速度を一旦１倍速の１／１１よりも遅い速度に落とし、蓄積されているデータの残量が所定の値まで減少した際に、回転速度を再度１倍速の１／１１に戻すように制御する。
【００６６】
上述のように決定され、回転速度が減速される（Ｓ３４）。減速された回転速度にて、読み出しと圧縮オーディオの復号と復号されたデータの出力とを同時に実行する（Ｓ３５）。
【００６７】
なお、実際には、データ記憶部９へのデータの蓄積が行われる。しかしながら、データ記憶部９への蓄積と、データ再生のための、データ記憶部９からのデータの出力の単位時間当たりのデータ量が同じであるため、見かけ上、データ記憶部９の蓄積データ量は一定となる。
【００６８】
なお、図４に示す動作のフローに示す処理は、光ディスク２０の全データの再生の終了やユーザからの停止命令等により、任意の動作中に終了する。また、その他の命令があった場合はそれに従って動作する。
【００６９】
図５は、連続再生モードにおける、データ記憶部９の蓄積データ量の時間変化の概要を示す図である。図５に示すグラフにおいて、縦軸は蓄積データ量であり、横軸は時間である。
【００７０】
また、期間Ａは、データのディスクからの読み出しと、データ記憶部９への蓄積が行われる期間である。期間Ｂは、データのディスクからの読み出しが停止され、データ記憶部９へのデータの蓄積がなされずに、蓄積されたデータの出力のみが行われている期間である。
【００７１】
なお、期間Ｂの経過後も、データ記憶部９に蓄積されたデータは出力され続けている。しかしながら、データ記憶部９への単位時間当たりの蓄積データ量と消費データ量が等しい。そのため、図５のグラフに示すように、データ記憶部９に蓄積されているデータ量は一定になっている。
【００７２】
以上のように、ＣＤプレーヤ３０は、電流測定部８２が測定した結果に基づき、判断部８１が間欠再生時の平均消費電流を算出する。判断部８１は、さらに、連続再生時の消費電流と間欠再生時の平均消費電流とを比較する。比較の結果、連続再生時の消費電流の方が、間欠再生時の平均消費電流より小さい場合、連続再生モードに移行すると判断する。
【００７３】
また、判断部８１は、連続再生モードにおいて、再生するデータが圧縮オーディオであるか否かの判断を行う。圧縮オーディオである場合、ビットレートを検出し、検出結果に対応する回転速度を算出し決定する。これにより、1倍速より低速な回転速度が決定される。
【００７４】
なお、間欠再生時の平均消費電流の方が、連続再生時の消費電流より小さい場合、間欠再生モードに移行すると判断する。
【００７５】
図６は、間欠再生モードにおけるＣＤプレーヤ３０の動作を示すフローチャートである。図６を用いて、ＣＤプレーヤ３０が間欠再生を実行する際の動作を説明する。
【００７６】
ＣＤプレーヤ３０は、データ記憶部９のデータの残量をチェックする（Ｓ４１）。残量が所定の基準値以下であれば（Ｓ４１でｙ）、強制停止あるいは慣性で回転するままに放置されていた光ディスク２０の回転の加速を開始する（Ｓ４２）。なお、残量が所定の基準値より多ければ（Ｓ４１でｙ）、基準値以下になるまでチェックを繰り返す。
【００７７】
上記加速後、光ディスク２０の回転速度が所定の高倍速になった状態でディスクからデータを読み出される。読み出されたデータはデータ記憶部９に書き込まれる（Ｓ４３）。つまり、データの蓄積が開始される。
【００７８】
ここで、データがデータ記憶部９に蓄積される際、上述のように、符号化等の処理が行われる。即ち、読み出されたデータがＣＤ−ＤＡの場合、そのまま又はＡＤＰＣＭ等に符号化され、データ記憶部９に蓄積される。読み出されたデータが、ＭＰ３等圧縮オーディオの場合、一旦ＰＣＭに復号され、そのまま又はＡＤＰＣＭ等に符号化されてデータ記憶部９に蓄積される。蓄積と同時に、データ再生のためにデータ記憶部９に蓄積されたデータが出力される。
【００７９】
データ記憶部９へのデータの蓄積と、データ記憶部９からのデータの出力とが開始された後、データ記憶部９がフルかどうかをチェックする。フルでない場合（Ｓ４４でｎ）、繰り返しチェックが行われる。データ記憶部９がフルである場合（Ｓ４４でｙ）、ディスクからの読み出しとデータ記憶部９への蓄積を停止する。このとき光ディスク２０の回転も強制停止される。もしくは、慣性で回転したまま放置され回転速度は減速していく。なお、データ記憶部９からのデータの出力は継続される（Ｓ４５）。
【００８０】
その後、データ記憶部９のデータ残量のチェック（Ｓ４１）から、データの読み出し（Ｓ４５）までが繰り返される。
【００８１】
なお、図６に示す動作のフローに示す処理は、光ディスク２０の全データの再生の終了やユーザからの停止命令等により、任意の動作中に終了する。また、その他の命令があった場合はそれに従って動作する。
【００８２】
以上のように、ＣＤプレーヤ３０は、間欠再生時の平均消費電流の方が、連続再生時の消費電流より小さい場合、間欠再生モードに移行し、上記動作が実行される。
【００８３】
図４および図６を用いて説明したように、ＣＤプレーヤ３０は、連続再生モードおよび間欠再生モードという２つの再生モードで光ディスク２０に記録されたデータを再生可能であり、それら２つの再生モードにおける消費電流を測定する。さらに、その測定結果に基づき、より消費電流の少ない再生モードを選び、実行する。
【００８４】
また、連続再生モードを実行する際、光ディスク２０に記録されたデータがＭＰ３等の圧縮オーディオである場合、その圧縮オーディオのビットレートを検出する。さらに、その検出結果に基づき、光ディスク２０の回転速度を1倍速以下に減速する。1倍速以下に減速することにより、少なくとも、1倍速で回転している状態よりも消費電流を少なくすることができる。
【００８５】
上記動作により、ＣＤプレーヤ３０は、光ディスク２０に記録されたデータを再生する際の無駄な消費電流を抑制することができる。
【００８６】
なお、上述の実施の形態において、ＣＤプレーヤ３０が連続再生をする際に、データ記憶部９にデータの蓄積を行いながらデータ記憶部９からのデータの出力も行うとした。しかしながら、連続再生モードに移行した後はデータ記憶部９にデータを蓄積しなくてもよい。
【００８７】
つまり、光ディスク２０から読み出したデータに対し符号化、複合化などの必要な処理を行った後、データ記憶部９に蓄積することなくそのまま出力してもよい。
【００８８】
図７は、連続再生モード移行後にデータ記憶部９にデータを蓄積しない場合の記憶部９の蓄積データ量の時間変化の概要を示す図である。
【００８９】
図７のグラフにおいて、期間Ａおよび期間Ｂは、再生モードの検討の際のデータの読み出しおよび蓄積と、データの読み出しの停止およびデータ記憶部９からの出力とが行われる期間である。
【００９０】
期間Ａの経過後、期間Ｂの経過前に、ＣＤプレーヤは連続再生モードに移行するが、図５に示す蓄積データ量の時間変化と異なり、蓄積データ量はゼロとなる。データ記憶部９へのデータの蓄積を行わないためである。こうすることで、データ記憶部９へデータを書き込むために必要な電流の消費を削減することができる。
【００９１】
また、実行する再生モードを判断する際に、電流測定部８２の測定値に基づき、判断部８１が判断するとした。しかしながら、過去の消費電流の実績に基づいて、実行すべき再生モードを判断してもよい。
【００９２】
例えば、連続再生モードにおいて、圧縮オーディオを再生する場合、その圧縮オーディオのビットレートと、再生時の消費電流とを対応付けて実績データとして記憶しておく。更に、その後、実行する再生モードを判断する際に、記憶された実績データを利用し実行すべき再生モードを判断してもよい。
【００９３】
図８は、実績データを記憶するための実績記憶部を備えるＣＤプレーヤ３０の機能的な構成を示す機能ブロック図である。
【００９４】
図８に示す実績記憶部１０は、電流測定部８２が測定した結果を記憶する記憶装置である。実績記憶部１０は、例えば、Ｆｌａｓｈメモリ等の不揮発性メモリにより実現される。なお、実績記憶部１０以外の各構成部は、図１に示すＣＤプレーヤ３０と同じである。
【００９５】
実績記憶部１０は、本発明の光ディスク再生方法および光ディスク再生装置における第２記憶手段の一例である。また、本発明の光ディスク再生装置における抽出手段が有する、第２記憶手段から情報を抽出する機能は、判断部８１によって実現される。
【００９６】
図８に示すＣＤプレーヤ３０において、以下の動作が実行されることにより、再生モードを判断することが可能である。
【００９７】
光ディスク２０に記録されたデータの再生を行う際、光ディスク２０から読み出されたデータが圧縮オーディオであるか否かを判断する。
【００９８】
圧縮オーディオであった場合、判断部８１がビットレートの検出を行う。検出後、検出されたビットレートと対応付けられた過去の消費電流を実績記憶部１０から抽出する。
【００９９】
また、間欠再生モードの平均消費電流の算出のための動作、電流の測定、および平均消費電流の算出（図２におけるＳ１４〜Ｓ２１に相当）を行う。
【０１００】
判断部８１は、実績記憶部１０から抽出された、連続再生モードの消費電流の実績値と、算出された間欠再生モードの平均消費電流とを比較し、消費電流の小さな再生モードを、実行すべき再生モードと判断する。
【０１０１】
こうすることで、例えば、圧縮オーディオの再生時には、連続再生モードの消費電流の測定および測定のための動作を行う必要がない。
【０１０２】
なお、同じビットレートの実績データが実績記憶部１０に複数存在する場合、それら複数の実績データの平均を算出し、そのビットレートを有する圧縮オーディオの連続再生モードの消費電流としてもよい。また、最新の実績データを、そのビットレートを有する圧縮オーディオの連続再生モードの消費電流として採用してもよい。
【０１０３】
また、消費電流の実績値は、ビットレートではなく回転速度と対応付けられて実績記憶部１０に記憶されていてもよい。この場合、ビットレートの検出後に回転速度が算出されればよく、判断部８１が、その算出された回転速度に対応する消費電流の実績値を実績記憶部１０から抽出すればよい。
【０１０４】
なお、上述のように、ビットレートの検出および回転速度の算出を、データ再生の開始時に行う場合、図４に示す、連続再生モードにおける動作の中で、ビットレートの検出および回転速度の算出を行う必要はない。
【０１０５】
このように、ＣＤプレーヤ３０は、消費電流の実測値だけでなく実績値に基づいて、実行すべき再生モードの判断を行ってもよい。これにより、例えば、ＣＤプレーヤ３０を設計する際、無駄な消費電流の削減のために最適な再生モードの判断方法を選択しＣＤプレーヤ３０を設計することができる。
【０１０６】
また、回転速度の算出において、圧縮オーディオのビットレートと１倍速の出力速度とのの比を算出し、その算出された比をそのまま回転速度の算出に用いた。しかしながら、算出した比をそのまま回転速度の算出に用いなくてもよい。
【０１０７】
例えば、回転速度を、算出された比を用いた場合の値より高く設定することで、データ記憶部９に蓄積しつつ、そのデータの再生を行ってもよい。
【０１０８】
データ記憶部９に蓄積されたデータは、例えば、ＣＤプレーヤに与えられた衝撃が原因で、ピックアップ２が正常にデータを読み出せなかった際、いわゆる「音飛び」の際に消費される。つまり、データ記憶部９に多くのデータを蓄積しておくことは、音飛びの防止のための有効な手段の一つである。
【０１０９】
そのため、上述のように、データをデータ記憶部９に蓄積できる範囲で回転速度を減速することで、音飛びの防止を図りつつ、消費電流の削減を図ることができる。
【産業上の利用可能性】
【０１１０】
本発明のＣＤプレーヤの読み出し制御手順は、圧縮オーディオ再生時に、ディスクの読み出しと停止が交互に実施し、それにより加速を繰り返すことにより消費電流が大きくなる場合に出力レートに合わせて１倍速以下の速度の一定速度回転で読み出すことにより無駄な消費電流を削減し、例えば電池を用いて電力供給する場合には動作時間を長く確保できるため有用である。そのため、電池により駆動されるポータブルＣＤプレーヤに特に有用である。
【図面の簡単な説明】
【０１１１】
【図１】本発明の実施の形態のＣＤプレーヤの機能的な構成を示す機能ブロック図である。
【図２】ＣＤプレーヤのデータの読み出し制御に関する手順を示すフローチャートである。
【図３】ＣＤプレーヤの各状態における消費電流の測定結果の例を示す図である。
【図４】連続再生モードにおけるＣＤプレーヤの動作を示すフローチャートである。
【図５】連続再生モードにおける、データ記憶部の蓄積データ量の時間変化の概要を示す図である。
【図６】間欠再生モードにおけるＣＤプレーヤの動作を示すフローチャートである。
【図７】連続再生モード移行後にデータ記憶部９にデータを蓄積しない場合の記憶部９の蓄積データ量の時間変化の概要を示す図である。
【図８】実績データを記憶するための実績記憶部を備えるＣＤプレーヤの機能的な構成を示す機能ブロック図である。
【図９】従来のＣＤプレーヤの記憶手段に蓄積されるデータ量の時間変化の概要を示す図である。
【図１０】従来のＣＤプレーヤの読み出し制御手順を示すフローチャートである。
【符号の説明】
【０１１２】
１    ディスク回転部
２    ピックアップ
３    フォーカスアクチュエータ
４    トラッキングアクチュエータ
５    増幅部
６    演算部
７    ドライブ信号作成部
８    制御部
９    データ記憶部
１０    実績記憶部
２０    光ディスク
３０    ＣＤプレーヤ
８１    判断部
８２    電流計測部
【図１】
2006318592.tif 000003
【図２】
2006318592.tif 000004
【図３】
2006318592.tif 000005
【図４】
2006318592.tif 000006
【図５】
2006318592.tif 000007
【図６】
2006318592.tif 000008
【図７】
2006318592.tif 000009
【図８】
2006318592.tif 000010
【図９】
2006318592.tif 000011
【図１０】
2006318592.tif 000012